(57)【要約】【課題】  防水性が向上した回路遮断器を提供する。【解決手段】  端子板９は、上方から見てハウジング４外に露出して電線５が接触導通する端子部９１と、ハウジング４内に固定接点１１を保持する接点保持部９２と、端子部９１と接点保持部９２との間に介在する連結部９３とを有する。連結部９３からの端子部９１の突出方向と、連結部９３からの接点保持部９２の突出方向とは、ともに上方向とされている。また、ハウジング４において、端子部９１よりも取付面側（図での左側）には、ハウジング４の内外を互いに連通させる通気穴４２が設けられている。連結部９３からの接点保持部９２の突出方向が下方とされる場合や、通気穴４２が端子部９１よりも取付面から離れた側（図での右側）に設けられる場合に比べ、防水性が向上する。【選択図】図１
2013069464.tif 000002
【特許請求の範囲】
【請求項１】
取付面に対して固定されるハウジングと、
導電材料からなり前記ハウジングに保持されて前記ハウジング内に固定接点を保持する端子板と、
前記ハウジングに収納され前記固定接点に離接可能な可動接点と、
異常を検出して前記可動接点を前記固定接点から引き離す引外し装置とを備え、
前記端子板は、前記ハウジング外に露出して電線が接触導通する端子部と、前記ハウジング内に固定接点を保持する接点保持部と、前記端子部と前記接点保持部との間に介在する連結部とを有し、
前記連結部からの前記接点保持部の突出方向は上方向であって、
前記接点保持部は、前記端子部よりも前記取付面側に配置されていて、
前記ハウジングにおいて、前記端子部よりも前記取付面側には、前記ハウジング外の空間と前記ハウジング内において前記固定接点が収納された空間とを互いに連通させる通気穴が設けられていることを特徴とする回路遮断器。
【請求項２】
前記通気穴は、上方から見て前記固定接点を露出させない位置に設けられていることを特徴とする請求項１記載の回路遮断器。
【発明の詳細な説明】
【技術分野】
【０００１】
本発明は、回路遮断器に関するものである。
【背景技術】
【０００２】
従来から、過電流等を検出して回路を遮断させる回路遮断器が提供されている（例えば、特許文献１参照）。
【０００３】
この種の回路遮断器として、例えば図２に示すものがある。図２の回路遮断器は、固定接点１１及び可動接点２１と、接点１１，２１間に異常な電流が流れたときに可動接点２１を固定接点１１から引き離す引外し装置３と、上記の各部を収納したハウジング４とを備える。
【０００４】
ここで、ハウジング４は、略垂直な取付面（図示せず。例えば分電盤の内底面）に所定の面（図２での左面）を向け、別の所定の面（図２での上面）を上方に向けて、上記の取付面に対して固定されるものである。
【０００５】
また、固定接点１１は、導電材料からなる端子板９に保持されている。端子板９は、上方から見てハウジング４外に露出する端子部９１と、固定接点１１を保持した接点保持部９２と、端子部９１と接点保持部９２との間に介在する連結部９３とを有する。端子部９１は、例えばねじ端子などの周知の端子構造により、電線５が接触導通した状態に保持される。
【先行技術文献】
【特許文献】
【０００６】
【特許文献１】特開２００９−１５８３７０号公報
【発明の概要】
【発明が解決しようとする課題】
【０００７】
上記従来例では、端子部９１は連結部９３から上方に突設され、接点保持部９２は連結部９３から下方に突設されている。
【０００８】
しかしながら、上記従来例では、矢印Ａ１で示すように電線５を伝ってハウジング４内に水が浸入した場合に、その水が矢印Ａ２で示すように端子板９を伝って固定接点１１に到達してしまいやすい。このように固定接点１１に到達した水は、固定接点１１の腐食を促進し、短寿命化を招く。
【０００９】
本発明は、上記事由に鑑みて為されたものであり、その目的は、防水性が向上した回路遮断器を提供することにある。
【課題を解決するための手段】
【００１０】
本発明の回路遮断器は、取付面に対して固定されるハウジングと、導電材料からなり前記ハウジングに保持されて前記ハウジング内に固定接点を保持する端子板と、前記ハウジングに収納され前記固定接点に離接可能な可動接点と、異常を検出して前記可動接点を前記固定接点から引き離す引外し装置とを備え、前記端子板は、前記ハウジング外に露出して電線が接触導通する端子部と、前記ハウジング内に固定接点を保持する接点保持部と、前記端子部と前記接点保持部との間に介在する連結部とを有し、前記連結部からの前記接点保持部の突出方向は上方向であって、前記接点保持部は、前記端子部よりも前記取付面側に配置されていて、前記ハウジングにおいて、前記端子部よりも前記取付面側には、前記ハウジング外の空間と前記ハウジング内において前記固定接点が収納された空間とを互いに連通させる通気穴が設けられていることを特徴とする。
【００１１】
上記の回路遮断器において、前記通気穴は、上方から見て前記固定接点を露出させない位置に設けられていることが望ましい。
【発明の効果】
【００１２】
本発明によれば、接点保持部が連結部の上方に突設されているので、端子部に接続された電線を伝ってハウジング内に水が浸入した場合でも、その水が連結部から接点保持部に進行しにくい。すなわち、接点保持部が連結部の下方に突設される場合に比べ、防水性が向上している。また、通気穴が、端子板の端子部よりも取付面側に設けられているので、端子部よりも取付面から離れた側に通気穴が設けられる場合に比べ、通気穴に水が浸入しにくいという点で防水性が向上している。
【図面の簡単な説明】
【００１３】
【図１】本発明の実施形態を示す断面図である。
【図２】従来例を示す断面図である。
【発明を実施するための形態】
【００１４】
以下、本発明を実施するための最良の形態について、図面を参照しながら説明する。
【００１５】
本実施形態は、図１に示すように、２組の固定接点１１，１２及び可動接点２１，２２と、異常が検出されたときに各可動接点２１，２２をそれぞれ固定接点１１，１２から引き離す引外し装置３と、上記の各部を収納した箱状のハウジング４とを備える。ハウジング４は、略垂直な取付面（図示せず。例えば分電盤の内底面）に所定の面（図１での左面）を向け、別の所定の面（図１での上面）を上方に向けて、上記の取付面に対して固定される。以下、上下左右は図１を基準として説明する。
【００１６】
ハウジング４の上端部には、一端が電源（図示せず）に接続された電線５の他端が接続される第１端子６１が保持されている。また、ハウジング４の下端部には、一端が負荷に接続された電線（図示せず）の他端が接続される第２端子６２が保持されている。第１端子６１は上側の固定接点（以下、「第１固定接点」と呼ぶ。）１１に電気的に接続され、第２端子６２は下側の固定接点（以下、「第２固定接点」と呼ぶ。）１２に電気的に接続されている。
【００１７】
各可動接点２１，２２は、上下に長く厚さ方向を左右方向に向けた金属板からなる可動接触子３１１の、上端部の右面と、下端部の左面とに、それぞれ設けられている。可動接触子３１１は、合成樹脂からなる成型体３１２に例えばインサート成型により一体化されて回転子３１を構成している。回転子３１は、ハウジング４に対して図１の紙面に直交する軸周りに回転可能に支持されている。そして、回転子３１がハウジング４に対して左右に回転することで、各可動接点２１，２２は、それぞれ、対応する固定接点１１，１２に対して略同時に離接する。各可動接点２１，２２がそれぞれ対応する固定接点１１，１２に接触した状態では、第１端子６１と第２端子６２とが、固定接点１１，１２及び可動接点２１，２２や可動接触子３１１等を介して互いに電気的に接続される。
【００１８】
引外し装置３は、ハウジング４の右方に突出するとともに操作力を受けてハウジング４に対して回転可能なハンドル３２や、電磁石装置３３や、零相変流器３４を有する。電磁石装置３３は、ハウジング４に対して固定された電磁石３３１と、磁性体からなり電磁石３３１の磁力により駆動される接極子３３２とを有する。電磁石装置３３は、例えば、零相変流器３４によって地絡が検出されたときや、第２固定接点１２と第２端子６２との間に過電流が流れたときに動作する。ハンドル３２と電磁石装置３３（接極子３３２）とはそれぞれ適宜のリンク（図示せず）を介して回転子３１に連結されている。地絡や過電流といった異常が検出されたときには、電磁石装置３３が動作して回転子３１が図１での反時計回りに回転駆動されることにより、各可動接点２１，２２はそれぞれ固定接点１１，１２から引き離され、端子６１，６２間の電路は遮断される。また、ハンドル３２を手動で回転させることによっても、回転子３１を回転させて端子６１，６２間の電路を開閉することができる。上記のような引外し装置３は周知技術で実現可能であるので、詳細な図示並びに説明は省略する。
【００１９】
また、ハウジング４において、第１可動接点２１の可動範囲の上側の外面には凹部４１が設けられ、この凹部４１の内周面にはハウジング４の内外を互いに連通させる貫通穴である通気穴４２が開口している。すなわち、通気穴４２は、上方から見て第１固定接点１１を露出させない位置に設けられている。さらに、通気穴４２の貫通方向は、第１固定接点１１と通気穴４２とが並ぶ方向（ほぼ上下方向）に交差する方向である水平方向（図１の左方向及び紙面に直交する方向）となっている。上記の通気穴４２は、接点開放時に発生するガスの通り道となる。
【００２０】
さらに、第１可動接点２１の可動範囲と通気穴４２との間には、接点開放時に第１可動接点２１と第１固定接点１１との間に発生するアークを分断する複数個（図１では３個）の消弧板７１が配置されている。
【００２１】
また、第２可動接点２２の可動範囲の下側（つまり、通気穴４２との間に各固定接点１１，１２を挟む位置）には消弧体８が配置されている。消弧体８は加熱されたときにガスを発生させる材料からなる。すなわち、第２可動接点２２と第２固定接点１２との間にアークが発生すると、そのアークによって消弧体８が加熱されて発生したガスにより消弧が達成される。消弧体８の材料としては、例えば、メラミン樹脂や、水酸化マグネシウムを含むポリアミド系樹脂を用いることができる。
【００２２】
ここで、第１固定接点１１は、導電材料からなる端子板９に保持されている。端子板９は、上方から見てハウジング外に露出し第１端子６１の一部を構成する端子部９１と、第１固定接点１１を保持した接点保持部９２と、端子部９１と接点保持部９２との間に介在する連結部９３とを有する。第１端子６１は、電線５を、端子板９の端子部９１に接触導通した状態に保持するものである。このような第１端子６１の構造としては例えばねじ端子のような周知の端子構造を適宜採用することができる。
【００２３】
また、端子部９１は連結部９３の右端部から上方に突設され、接点保持部９２は連結部９３の左端部から上方に突設されている。
【００２４】
上記構成によれば、接点保持部９２が連結部９３の上方に突設されているので、端子部９１に接続された電線５を伝ってハウジング４内に水が浸入した場合でも、その水が連結部９３から接点保持部９２に進行しにくい。すなわち、接点保持部９２が連結部９３の下方に突設される場合に比べ、防水性が向上している。
【００２５】
また、通気穴４２が、端子板９の端子部９１よりも取付面側（図１での左側）に設けられているので、端子部９１よりも取付面から離れた側（図１での右側）に通気穴４２が設けられる場合に比べ、通気穴４２に水が浸入しにくいという点で防水性が向上している。
【００２６】
さらに、通気穴４２が、上方から見て第１固定接点１１を露出させない位置に設けられているので、上方から見て第１固定接点１１を露出させる位置に通気穴４２が設けられる場合に比べ、通気穴４２から浸入した水が第１固定接点１１や第１可動接点２１に到達しにくいという点で防水性が向上している。
【００２７】
なお、ハウジング４内が複数個の空間に分割されている場合、通気穴４２は、それら複数個の空間のうち、固定接点１１，１２が収納された空間に連通していればよい。
【符号の説明】
【００２８】
３  引外し装置
４  ハウジング
５  電線
９  端子板
１１  第１固定接点（固定接点）
２１  第１可動接点（可動接点）
４２  通気穴
９１  端子部
９２  接点保持部
９３  連結部
【図１】
2013069464.tif 000003
【図２】
2013069464.tif 000004